(57)【要約】【課題】ドームの内面を発光させる照明パネルに、ドームの外側からアクセス可能なドーム型照明装置を提供することを課題とする。【解決手段】ドーム内を照らすドーム型照明装置であって、前記ドームの天井面を形成する複数の照明パネルと、隣接する２つの照明パネル同士を締結する締結部材と、前記ドームの頭頂部から前記ドームの周状の底部へ放射状に配置され、前記締結部材を介して前記複数の照明パネルを吊り下げ状態で支持する複数の支持部材と、を備える。【選択図】図２
2013206797.tif 000002
【特許請求の範囲】
【請求項１】
ドーム内を照らすドーム型照明装置であって、
前記ドームの天井面を形成する複数の照明パネルと、
隣接する２つの照明パネル同士を締結する締結部材と、
前記ドームの頭頂部から前記ドームの周状の底部へ放射状に配置され、前記締結部材を介して前記複数の照明パネルを吊り下げ状態で支持する複数の支持部材と、を備える、
ドーム型照明装置。
【請求項２】
前記締結部材は、前記支持部材に対する固定位置を調整可能な固定装置により、前記支持部材に固定される、
請求項１に記載のドーム型照明装置。
【請求項３】
前記締結部材は、前記ドームの中心部を周回するように配置される前記複数の照明パネル同士を、Ｖ字状の部材により締結する、
請求項１または２に記載のドーム型照明装置。
【発明の詳細な説明】
【技術分野】
【０００１】
本願は、ドーム型照明装置を開示する。
【背景技術】
【０００２】
近年、検査対象物を撮像した画像の解析処理により、当該検査対象物の検査を行う技術が開発されている（例えば、特許文献１−３を参照）。
【先行技術文献】
【特許文献】
【０００３】
【特許文献１】特開２００８−２１６１８０号公報
【特許文献２】特開２００５−３２７９６８号公報
【特許文献３】特開平５−２８８５２７号公報
【発明の概要】
【発明が解決しようとする課題】
【０００４】
検査対象物の検査を画像解析により行う場合、陰影の無い画像を撮像することが望まれる。カメラに映り得る全ての部位に対して光を照射し、陰影の無い画像を撮像する方策の一つに、例えば、内面が発光するドームの中心部に検査対象物を配置し、ドームの頭頂部から当該検査対象物を撮像する方策がある。
【０００５】
ドームの内面を発光させるには、面発光体である照明パネルをドーム状の構造体の内側に取り付ける方策が考えられる。しかし、ドーム状の構造体の内側に取り付けた照明パネルに構造体の外側から物理的なアクセスを行う場合、構造体が障害物となる。
【０００６】
そこで、本願は、ドームの内面を発光させる照明パネルに、ドームの外側からアクセス可能なドーム型照明装置を提供することを課題とする。
【課題を解決するための手段】
【０００７】
本願は、下記のドーム型照明装置を開示する。
ドーム内を照らすドーム型照明装置であって、
前記ドームの天井面を形成する複数の照明パネルと、
隣接する２つの照明パネル同士を締結する締結部材と、
前記ドームの頭頂部から前記ドームの周状の底部へ放射状に配置され、前記締結部材を介して前記複数の照明パネルを吊り下げ状態で支持する複数の支持部材と、を備える、
ドーム型照明装置。
【発明の効果】
【０００８】
上記ドーム型照明装置であれば、ドームの内面を発光させる照明パネルに、ドームの外側からアクセス可能になる。
【図面の簡単な説明】
【０００９】
【図１】ドーム型照明装置の一例を示した図である。
【図２】カバーを外した状態のドーム型照明装置の一例を示した図である。
【図３】支持構造物の下側から見た照明パネルの取り付け状態の一例を示した図である。
【図４】隣接する２つの照明パネル同士を締結する締結部材の締結状態の一例を示した図である。
【図５】締結部材を介して支持部材に吊り下げ状態で支持される照明パネルの支持状態の一例を示した図である。
【図６】従来技術に係るドーム型照明装置の一例を示した図である。
【図７】従来技術に係るドーム型照明装置の照明ユニットのケーブル類を示した透過斜視図の一例を示した図である。
【発明を実施するための形態】
【００１０】
以下、ドーム型照明装置の実施形態について説明する。以下に示す実施形態は、ドーム型照明装置の一態様を例示するものであり、本願で開示するドーム型照明装置の技術的範囲を以下の態様に限定するものではない。
【００１１】
図１は、実施形態に係るドーム型照明装置の一例を示した図である。ドーム型照明装置１は、ドーム２の天井面を形成する複数の照明パネルから光を照射する照明装置であり、ドーム２の中心に配置される検査対象物４に様々な角度から光を照らすことが可能である。よって、検査対象物４の撮像に際し、ドーム型照明装置１を用いると、陰影の無い検査対象物４の画像を取得することが可能である。検査対象物４としては、例えば、プリント基板に実装される部品等を挙げることができる。ドーム型照明装置１は、表面にカバー１８が取り付けられており、通常の使用状態においては内部の照明パネルに物理的にアクセスできないよう、装置内が保護されている。
【００１２】
図２は、カバー１８を外した状態のドーム型照明装置１の一例を示した図である。照明パネル３は、照明パネル３を支持する支持構造物５により支持されている。支持構造物５は、ドーム２の頭頂部からドーム２の周状の底部へ放射状に配置される支持部材６を備える。照明パネル３は、締結部材７を介して支持部材６に吊り下げ状態で支持されている。
【００１３】
支持構造物５は、ドーム２の頭頂部からドーム２の周状の底部へ８方向に広がる８つの支持部材６の他、支持部材６同士を相互に締結する柱部材８、及びドーム２の頭頂部を形成する円筒部材９を備える。円筒部材９は、ドーム型照明装置１の上側からドーム２内への各種検査機器の挿入を可能にする貫通孔１０をドーム２の頭頂部に形成する。支持構造物５は、円筒部材９の外周側面に一端を固定した支持部材６の他端同士を、柱部材８を介して相互に締結することにより、外観が正八角柱の構造体を形成する。
【００１４】
図３は、支持構造物５の下側から見た照明パネル３の取り付け状態の一例を示した図である。照明パネル３は、円筒部材９の周囲を周回するように、１周８枚のパネルが３周に渡って３段配置される。照明パネル３がこのように支持構造物５に取り付けられることにより、ドーム状の天井面が照明パネル３によって形成される。また、各照明パネル３は、発光面がドーム２の中央に向かうように配置されている。
【００１５】
図４は、隣接する２つの照明パネル３同士を締結する締結部材７の締結状態の一例を示した図である。隣接する２つの照明パネル３は、締結部材７に設けられているＶ字状の締結部１１の両端に取り付けられたネジ１２により締結されている。これにより、隣接する２つの照明パネル３は、縁同士が干渉し合うことなく締結される。
【００１６】
また、締結部材７は、締結部１１を支持部材６に固定する固定部１３のネジ穴１４と、支持部材６に設けられたネジ穴１５とに挿通されるボルト１６、及びボルト１６に螺合されるナット１７により、支持部材６に固定される。なお、ネジ穴１５は、ボルト１６やネジ穴１４の径よりも大きく形成されており、支持部材６に対する締結部材７の固定位置を微調整可能である。よって、ボルト１６を緩めれば、支持部材６に一旦固定された締結部材７の固定位置を後から調整可能である。
【００１７】
図５は、締結部材７を介して支持部材６に吊り下げ状態で支持される照明パネル３の支持状態の一例を示した図である。支持部材６は、照明パネル３によって天井面が形成されるドーム２の上を跨ぐように形成されており、締結部材７を介して照明パネル３を支持している。締結部材７は、円筒部材９の周囲を周回する全ての照明パネル３について、隣接する照明パネル３同士を相互に締結している。また、照明パネル３は、互いに平行な上側および下側の各辺に対する、支持部材６が取り付けられる部位の辺の角度が、照明パネル３の取り付け位置に応じて適宜調整されている。よって、円筒部材９の周囲を１周する８つの照明パネル３同士を８つの締結部材７で全て締結することにより、各照明パネル３は規定の角度を保つことになる。従って、円筒部材９の周囲を１周するように、８つの締結部材７により締結された８つの照明パネル３は、締結部材７を介して支持部材６に吊り下げられた状態となっても、各照明パネル３に規定されている傾斜角を保つことが可能である。
【００１８】
図６は、従来技術に係るドーム型照明装置１０１の一例（以下、「従来例」という）を示した図である。従来例に係るドーム型照明装置１０１は、図６に示すように、ドーム１０２の天井面を形成する照明パネル１０３を外装板１０４に３つ固定した照明ユニット１０５を８つ有している。照明ユニット１０５は、ドーム１０２の中心を基点にドーム１０２を８分割したうちの１つを形成する。従来例に係るドーム型照明装置１０１は、ドーム１０２の頭頂部を形成する円筒部材１０９に外装板１０４の上端が固定され、ドーム１０２の周状の底部を形成する円状の基材１０６に外装板１０４の下端が固定された８つの照明ユニット１０５により、ドーム１０２を形成する。
【００１９】
従来例に係るドーム型照明装置１０１は、板金をプレス加工することにより形成した外装板１０４に照明パネル１０３が取り付けられているため、照明パネル１０３の取り付け位置が、外装板１０４の寸法公差や外装板１０４の歪み等の影響を受けやすい。
【００２０】
また、従来例に係るドーム型照明装置１０１は、照明パネル１０３を取り付ける外装板１０４の上端が円筒部材１０９に固定され、外装板１０４の下端が基材１０６に固定された８つの照明ユニット１０５により、ドーム１０２を形成している。よって、外装板１０４の下端や上端の固定位置が不正確な場合に、ドーム型照明装置１０１全体に対する照明パネル１０３の相対的な位置に誤差が生じやすい。
【００２１】
一方、本実施形態に係るドーム型照明装置１であれば、円筒部材９の外周側面に固定され、ドーム２の頭頂部から放射状にドーム２の周状の底部へ広がる各支持部材６が、支持部材６同士を相互に締結する柱部材８によって相互に締結されている。よって、外装板１０４に取り付ける照明パネル１０３のように、外装板１０４の寸法公差や外装板１０４の歪み等の影響を受ける虞が少ない。
【００２２】
また、従来例に係るドーム型照明装置１０１は、照明パネル１０３を取り付ける外装板１０４により、ドーム１０２の外装が覆われているため、照明ユニット１０５の外装板１０４を円筒部材１０９及び基材１０６に固定した後に照明パネル１０３の取り付け位置を微調整することは困難である。
【００２３】
一方、本実施形態に係るドーム型照明装置１であれば、照明パネル３が締結部材７を介して支持部材６に固定されているため、カバー１８を取り外せば照明パネル３の取り付け位置を容易に微調整することが可能である。すなわち、各支持部材６の間隔が柱部材８によって保持されているため、各支持部材６の間に手を入れることにより、照明パネル１０３に物理的にアクセスすることが可能である。これにより、ボルト１５やネジ１２を緩めて照明パネル１０３の取り付け位置の微調整を行うことも可能となる。
【００２４】
図７は、従来例に係るドーム型照明装置１０１の照明ユニット１０５のケーブル類を示した透過斜視図の一例を示した図である。従来例に係るドーム型照明装置１０１は、外装板１０４に照明パネル１０３が取り付けられているため、照明パネル１０３に繋がるケーブル類は外装板１０４と照明パネル１０３との間に挿通することになる。このため、ドーム型照明装置１０１を組み立てる際は、ケーブル類を外装板１０４と照明パネル１０３との間に挿通した状態で照明ユニット１０５を組み付ける必要がある。また、照明パネル１０３の裏面にアクセスしたい場合に、当該照明パネル１０３が外装板１０４に取り付けられていると、当該照明パネル１０３の裏面に容易にアクセスすることが困難である。よって、照明ユニット１０５の組み付けに際し、ケーブル類に荷重が加わった場合であっても、ケーブル類に加わった荷重を取り除くことが困難である。
【００２５】
しかし、本実施形態に係るドーム型照明装置１であれば、照明パネル３が締結部材７を介して支持部材６に固定されているため、カバー１８を取り外せば照明パネル３の裏面に容易にアクセス可能である。
【００２６】
なお、上記ドーム型照明装置１は、外観が正八角柱の構造体に限定されるものではない。ドーム型照明装置１は、七角以下の多角柱あるいは九角以上の多角柱の構造体であってもよい。また、上記ドーム型照明装置１は、照明パネル３を３段積み重ねたものに限定されるものでなく、２段以下、或いは４段以上重ねたものであってもよい。
【符号の説明】
【００２７】
１，１０１・・ドーム型照明装置：２，１０２・・ドーム：３，１０３・・照明パネル：４・・検査対象物：５・・支持構造物：６・・支持部材：７・・締結部材：８・・柱部材：９，１０９・・円筒部材：１０・・貫通孔：１１・・締結部：１２・・ネジ：１３・・固定部：１４，１５・・ネジ穴：１６・・ボルト：１７・・ナット：１８・・カバー：１０４・・外装板：１０５・・照明ユニット：１０６・・基材
【図１】
2013206797.tif 000003
【図２】
2013206797.tif 000004
【図３】
2013206797.tif 000005
【図４】
2013206797.tif 000006
【図５】
2013206797.tif 000007
【図６】
2013206797.tif 000008
【図７】
2013206797.tif 000009